(57)【特許請求の範囲】
【請求項１】
２本の鉄筋を束ねてなる上下方向一対の横主筋を、基礎長手方向に沿って配置して、基礎長手方向に間隔をおいて配置した複数のスターラップによって前記横主筋間を連結し、そのスターラップの上下方向の中間部分に跨るようにして腹筋を配置することによって配筋を構成し、柱脚固定部には、互いに連結した２本のアンカーボルトを配設してなることを特徴とする露出型固定柱脚の配筋基礎。
【請求項２】
２本の鉄筋を束ねてなる上下方向一対の横主筋を、基礎長手方向に沿って配置して、基礎長手方向に間隔をおいて配置した複数のスターラップによって前記横主筋間を連結し、そのスターラップの上下方向の中間部分に跨るようにして腹筋を配置することによって配筋を構成し、柱脚固定部には、互いに連結した２本のアンカーボルトを配設し、基礎隅角部には、前記配筋に加えて、複数本の縦主筋とそれら縦主筋によって連結される複数のフープとからなるかご形の補強鉄筋を配設してなることを特徴とする露出型固定柱脚の配筋基礎。
【発明の詳細な説明】
【０００１】
【発明の属する技術分野】
この発明は、個人住宅等の小規模の建物に使用される露出型固定柱脚の配筋基礎に関するものである。
【０００２】
【従来の技術】
図６は、従来の２、３階建ての鉄骨造個人住宅に用いられる基礎配筋を示したもので、図において、(１)は、柱脚を固定するためのアンカーボルトであり、このアンカーボルト(１)が配置される柱脚部分においては、図のように上下に間隔をおいて配置した方形のフープ(２)(２)…と、それらフープ(２)(２)…の各コーナーを連結する４本の縦主筋(３)とからなるかご形の鉄筋ユニット(４)を、４本のアンカーボルト(１)(１)…を囲むようにして設置し、更に、柱脚部間の基礎部分には、基礎の幅方向及び上下方向に間隔をおいて配置した４本の横主筋(５)(５)…と、それら横主筋(５)(５)を囲むようにして連結した基礎長手方向多数のスターラップ(６)(６)…とからなる鉄筋ユニット(７)を配置して、これらのユニット(４)(７)によって基礎配筋を構成するようにしている。
【０００３】
【発明が解決しようとする課題】
上記従来の基礎配筋は、一般的にオフィスビル等の大規模な建築物に用いられるものであって、せいぜい３階建てまでの小規模な個人住宅に用いるには、過剰配筋となっていた。
【０００４】
即ち、まず、柱脚部分には、全て上記のようなかご形の鉄筋ユニット(４)が配置されるとともに、柱脚部間にも図のようなかご形の配筋ユニット(７)を配置していたために、全体に基礎の幅が大きくなり、鉄筋量及びコンクリート量が不必要に増加してコスト高となる欠点がある。
【０００５】
更に、柱脚部には図のような特別のかご形の鉄筋ユニット(４)を配設するため、配筋が複雑となり設計及び施工が困難であった。また、仮に上記柱脚部以外の鉄筋ユニット(７)部分を小幅にして、この部分の基礎の幅を小さくすることによって、ある程度鉄筋量やコンクリート量を少なくすることができるが、そうすると柱脚部分のコンクリートが基礎幅方向に突出し、基礎の形状が複雑となるため型枠施工が困難となるとともに、内装の納まりも複雑となる欠点がある。
【０００６】
この発明は、このような従来の欠点を解消して、２、３階建て程度の小規模な個人住宅用の基礎において、鉄筋及びコンクリート量が不必要に増加することがなく、なおかつ充分な強度を備えた低コストで小幅の基礎コンクリート用の配筋を提供することを目的としてなされたものである。
【０００７】
【課題を解決するための手段】
上記の課題を解決するため、この発明は、２本の鉄筋を束ねてなる上下方向一対の横主筋を、基礎長手方向に沿って配置して、基礎長手方向に間隔をおいて配置した複数のスターラップによって前記横主筋間を連結し、そのスターラップの上下方向の中間部分に跨るようにして腹筋を配置することによって配筋を構成し、柱脚固定部には、互いに連結した２本のアンカーボルトを配設してなることを特徴とする。
【０００８】
同じく、この出願の請求項２の発明は、２本の鉄筋を束ねてなる上下方向一対の横主筋を、基礎長手方向に沿って配置して、基礎長手方向に間隔をおいて配置した複数のスターラップによって前記横主筋間を連結し、そのスターラップの上下方向の中間部分に跨るようにして腹筋を配置することによって配筋を構成し、柱脚固定部には、互いに連結した２本のアンカーボルトを配設し、基礎隅角部には、前記配筋に加えて、複数本の縦主筋とそれら縦主筋によって連結される複数のフープとからなるかご形の補強鉄筋を配設してなることを特徴とするものである。
【０００９】
【発明の実施の形態】
図１〜図３は、コンクリート基礎直線部分における配筋基礎とアンカーボルトの配置構造を示している。アンカーボルト(11)(11)は、基礎幅方向に間隔をおいて配置される２本から構成され、それらの下端部分に定着板(12)が、各アンカーボルト(11)(11)へ螺合したナット(13)(14)によって上下両側から支持固定され、かつ、この定着板(12)によって両アンカーボルト(11)(11)の下端を連結している。また、アンカーボルト(11)(11)の上端部分においては、基礎天端側に露出する土台プレート(15)が、前記定着板(12)と同様に両アンカーボルト(11)(11)へ跨るようにして外嵌され、この土台プレート(15)より上方へ突出するアンカーボルト(11)(11)の上端部分に、ナット(16)(16)が螺合されている。このアンカーボルト(11)(11)は上記のように定着板(12)と土台プレート(15)を取り付けた状態で、基礎長手方向の各柱脚固定部分に設置される。
【００１０】
(18)は、基礎の直線方向に沿って配置される第一の鉄筋ユニットを示している。(19)(19)は２本の鉄筋(20)を幅方向に束ねた上下一対の横主筋であって、これらの横主筋(19)(19)が、上下方向の間隔をおいて上下に平行に配置されている。(21)(21)…は基礎長手方向に間隔をおいて配置されるスターラップであり、このスターラップ(21)(21)…の上端及び下端が、Ｕ字形若しくは逆Ｕ字形に折り曲げられるとともに、このＵ字形折曲部(22)(22)の内側に前記横主筋(19)(19)が配置されて、このスターラップ(21)がそれら上下の横主筋(19)(19)間を連結している。更に、スターラップ(21)(21)の上下方向の中間部分に跨るようにして、１本の腹筋(23)が基礎長手方向に沿って配置されてそのスターラップ(21)へ固定されている。
【００１１】
上記第一の鉄筋ユニット(18)は、図のようにアンカーボルト(11)(11)が設置される部分においては、それらアンカーボルト(11)(11)間の空隙部分を通過するように配置されている。図中、(24)は打設された基礎コンクリートを示している。
【００１２】
図４及び５は、基礎隅角部分の配筋構造を示したもので、この隅角部分においては、前記第一の鉄筋ユニット(18)による配筋基礎のみではコンクリートのボリュームが不足するため、図５のようなかご形の第二の鉄筋ユニット(25)を配置するようにしている。この第二の鉄筋ユニット(25)は、上下の間隔をおいて配置される複数本の方形枠状のフープ(26)(26)…と、それらフープ(26)(26)…のコーナーの外側間を連結するようにして配置される４本の縦主筋(27)(27)…とから構成され、図４のように、基礎長手方向に配置される一対のアンカーボルト(11)(11)を囲むようにして隅角部分に設置されている。また、第一の鉄筋ユニット(18)は、この第二の鉄筋ユニット(25)内を通過するようにして配置されている。また、その第一の鉄筋ユニット(11)(11)は、コーナー部分においてＬ字形の接続筋ユニット(28)で連結されている。
【００１３】
上記において、第一の鉄筋ユニット(18)は、従来のように横主筋(19)を基礎幅方向に間隔をおいて２列に配置するものではなく、１列のみとしているから、それだけ基礎の幅を小さくしてコンクリートや鉄筋量を低減できるものである。この場合、横主筋(19)は、２本の鉄筋(20)(20)を左右方向に束ねた構成としている。これは１本の大径のものを用いることも可能であるが、そうすると、建築工事標準仕様書、同解説ＪＡＳＳ５鉄筋コンクリート工事により鉄筋を曲げ加工する際に、その折曲げ内のり直径が大きくなり納りが悪くなるので、この実施形態においては、特に隅角部の納りを良くするためにこのようにしたものである。また、スターラップ(21)は、上下両端をＵ字形に折り曲げて、上下の横主筋(19)(19)間を連結するようにしているが、前記従来のスターラップと同じようにリング状にしても良い。但し、この場合、それだけ鉄筋量が余分に増加することになる。
【００１４】
【発明の効果】
以上のように、この発明によれば、柱脚部をも含めて基礎の配筋を上下一対の横主筋とスターラップ及び必要により配置される腹筋とから構成しているため、従来のように横主筋を幅方向２列に間隔をおいて配置するものに比べて、それだけ基礎の幅を小さくすることができ、基礎の配筋量及びコンクリート量を低減できて、コストを低減することができる。即ち、２、３階建て程度の小規模住宅においては、このような幅の狭い基礎でも充分であり、必要充分な強度を備えながら、なおかつ、低コストの基礎を実現することができたものである。
【００１５】
更に、この発明では、上記のように、アンカーボルト部分である柱脚部においても同じ配筋構成としているため、柱脚部分の基礎が幅方向に突出することがなく、型枠施工が容易で、また、内装設計も容易となる効果が得られる。
【００１６】
加えて、この出願の請求項２の発明によれば、隅角部分においては、かご形の鉄筋を配置して補強しているため、その隅角部分のコンクリートのボリュームが不足するといった問題点もない。また、隅角部分のみそのかご形の鉄筋を配筋した分だけ幅広としてその他の部分の幅を小さくすることも可能であり、この場合には、型枠の施工がやや複雑となるが、全体のコンクリート量が大幅に低減できる効果がある。
【図面の簡単な説明】
【図１】この発明の実施形態を示す柱脚部分におけるコンクリート基礎の縦断面図である。
【図２】同じく基礎コンクリートを横断して示す平面図である。
【図３】アンカーボルトと鉄筋の配置構造を示す要部の斜視図である。
【図４】基礎隅角部分における鉄筋とアンカーボルトの配置構造を示す基礎の横断平面図である。
【図５】同じく隅角部分に配置されるかご形の第二の鉄筋ユニットの斜視図である。
【図６】従来の小規模建築に用いられている基礎配筋の要部の斜視図である。
【符号の説明】
(11)  アンカーボルト
(18)  第一の鉄筋ユニット
(19)  横主筋
(21)  スターラップ
(23)  腹筋
(25)  第二の鉄筋ユニット
(26)  フープ
(27)  縦主筋
【図１】
0003726247.tif 000002
【図２】
0003726247.tif 000003
【図３】
0003726247.tif 000004
【図４】
0003726247.tif 000005
【図５】
0003726247.tif 000006
【図６】
0003726247.tif 000007